(57)【要約】【課題】視聴者がコンテンツを選んで再生開始してから、その都度再生中に調整を続けなくても、利用中のＡＶアンプにおいて再生コンテンツに最適な調整状態が瞬時に得られ、視聴者は、最初から最適な調整状態で視聴することができ、調整操作に気を取られたりすることなく、落ち着いて視聴することができる再生システム、再生方法、再生装置を提供する。【解決手段】  音声・映像データの視聴者が、前回にＤＶＤ１００を再生した際のＡＶアンプ４００を調整する設定値２１０をＤＶＤ１００に搭載しているＲＦＩＤ２００に記憶させておくことにより、自動的に前回の設定値２１０を読み出し、読み出した設定値２１０にＡＶアンプ４００の設定情報４９６を自動設定する。【選択図】      図１
2005353237.tif 000002
【特許請求の範囲】
【請求項１】
オーディオビデオデータを記憶する記憶媒体と、前記記憶媒体のオーディオビデオデータを再生する再生部と、オーディオビデオアンプと、前記オーディオビデオアンプの出力を音声に変換するスピーカとを有する再生システムにおいて、前記記憶媒体は、前記オーディオビデオアンプの設定情報を記憶する付加記憶手段を有し、前記再生部は、前記付加記憶手段から前記設定情報を読み出す付加記憶読み出し手段を有し、前記オーディオビデオアンプは、前記再生部から受信した前記設定情報の設定値に変更する設定切り換え手段を有することを特徴とする再生システム。
【請求項２】
前記記憶媒体は、ディジタルバーサタイルディスク、コンパクトディスク、ミニディスクの何れかを有することを特徴とする請求項１記載の再生システム。
【請求項３】
前記付加記憶手段は、電子タグを有することを特徴とする請求項１記載の再生システム。
【請求項４】
前記電子タグは、前記記憶媒体または前記記憶媒体を格納するカートリッジケースに搭載することを特徴とする請求項３記載の再生システム。
【請求項５】
前記付加記憶読み出し手段は、電子タグリーダ・ライタを有することを特徴とする請求項１または３記載の再生システム。
【請求項６】
前記再生部は、光ディスクドライブと、前記光ディスクドライブと前記付加記憶読み出し手段とを制御する第二制御部とを有することを特徴とする請求項１記載の再生システム。
【請求項７】
前記オーディオビデオアンプは、前記再生部との間で通信を行う第一通信部と、前記記憶媒体の適合性を判断する適合検証部と、前記設定切り換え手段を制御する第一制御部とを有することを特徴とする請求項１記載の再生システム。
【請求項８】
前記適合検証部は、前記設定情報に対する設定範囲を記憶する設定範囲記憶部と、前記設定範囲と前記再生部から受信した前記設定値とを比較する比較部とを有することを特徴とする請求項７記載の再生システム。
【請求項９】
前記第一制御部は、前記適合検証部により適合すると判定したとき、前記設定値に一致させるように前記設定切り換え手段の制御を行う手段を有することを特徴とする請求項７または８記載の再生システム。
【請求項１０】
前記比較部は、前記再生部から受信した前記設定値が前記設定範囲内であるか否かを検証することを特徴とする請求項８記載の再生システム。
【請求項１１】
前記設定情報は、視聴環境と、音量と、スピーカ位置と、画面輝度とを有することを特徴とする請求項１または８記載の再生システム。
【請求項１２】
前記光ディスクドライブは、ディジタルバーサタイルディスクドライブ、コンパクトディスクドライブ、ミニディスクドライブの何れかを有することを特徴とする請求項６記載の再生システム。
【請求項１３】
前記付加記憶読み出し手段は、アンテナと、前記付加記憶手段の第一無線部から前記アンテナを介して前記設定情報を受信する第二無線部と、前記設定情報を格納する記憶部と、前記オーディオビデオアンプと通信を行う第二通信部とを有することを特徴とする請求項１、５、６の何れか１項記載の再生システム。
【請求項１４】
記憶媒体にオーディオビデオデータを記憶し、前記記憶媒体のオーディオビデオデータを再生部により再生し、再生データをオーディオビデオアンプにより増幅し、前記オーディオビデオアンプの出力をスピーカにより音声に変換する再生方法において、前記記憶媒体に設けた付加記憶手段により前記オーディオビデオアンプの設定情報を記憶するステップと、前記再生部に設けた付加記憶読み出し手段により前記付加記憶手段から前記設定情報を読み出すステップと、前記オーディオビデオアンプに設けた設定切り換え手段により前記再生部から受信した前記設定情報の設定値に変更するステップとを有し、前記オーディオビデオアンプは、第一通信部により前記再生部との間で通信を行うステップと、前記記憶媒体の適合性を適合検証部により判断するステップと、前記適合検証部により適合すると判定したとき、第一制御部により前記設定値に一致させるように前記設定切り換え手段の制御を行うステップとを有することを特徴とする再生方法。
【請求項１５】
前記適合検証部は、前記設定情報に対する設定範囲を設定範囲記憶部に記憶するステップと、前記設定範囲と前記再生部から受信した前記設定値とを比較部により比較するステップとを有することを特徴とする請求項１４記載の再生方法。
【請求項１６】
前記比較部は、前記再生部から受信した前記設定値が前記設定範囲内であるか否かを検証するステップを有することを特徴とする請求項１５記載の再生方法。
【請求項１７】
オーディオビデオデータを記憶する記憶媒体のデータを再生する再生部と、オーディオビデオアンプとを有する再生装置において、前記記憶媒体は、前記オーディオビデオアンプの設定情報を記憶する付加記憶手段を有し、前記再生部は、前記付加記憶手段から前記設定情報を読み出す付加記憶読み出し手段を有し、前記オーディオビデオアンプは、前記再生部から受信した前記設定情報の設定値に変更する設定切り換え手段を有することを特徴とする再生装置。
【請求項１８】
前記付加記憶手段は、電子タグを有することを特徴とする請求項１７記載の再生装置。
【請求項１９】
前記付加記憶読み出し手段は、電子タグリーダ・ライタを有することを特徴とする請求項１７または１８記載の再生装置。
【請求項２０】
前記オーディオビデオアンプは、前記再生部との間で通信を行う第一通信部と、前記記憶媒体の適合性を判断する適合検証部と、前記設定切り換え手段を制御する第一制御部とを有することを特徴とする請求項１７記載の再生装置。
【請求項２１】
前記適合検証部は、前記設定情報に対する設定範囲を記憶する設定範囲記憶部と、前記設定範囲と前記再生部から受信した前記設定値とを比較する比較部とを有することを特徴とする請求項２０記載の再生装置。
【請求項２２】
前記比較部は、前記再生部から受信した前記設定値が前記設定範囲内であるか否かを検証することを特徴とする請求項２１記載の再生装置。
【請求項２３】
前記設定情報は、視聴環境と、音量と、スピーカ位置と、画面輝度とを有することを特徴とする請求項１７、２１、２２の何れか１項記載の再生装置。
【発明の詳細な説明】
【技術分野】
【０００１】
本発明は、音声・映像データ（ＡＶデータ）を記憶したＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＭＤ（Ｍｉｎｉ  Ｄｉｓｋ）などの光ディスクの再生システム、再生方法、再生装置に関し、特に、音声・映像データの視聴者が、前回に光ディスクを再生した際のＡＶアンプの設定情報の設定値を光ディスクに搭載している電子タグ（例えば、ＲＦＩＤ：Ｒａｄｉｏ  Ｆｒｅｑｕｅｎｃｙ  Ｉｄｅｎｔｉｆｉｃａｔｉｏｎ）に記憶させておくことにより、自動的に前回の設定値を読み出し、読み出した設定値にＡＶアンプの設定情報を設定する再生システム、再生方法、再生装置に関する。
【背景技術】
【０００２】
ＣＤやＤＶＤの再生については、家庭用のサラウンド視聴環境の普及も進んでおり、その仕組みは、６〜７個のスピーカーを視聴者の着座位置の周囲に設置し、それを６〜７チャンネルのスピーカー出力で鳴動させるシステムとなっている。
【０００３】
このサラウンド視聴システムに用いられるスピーカーは、従前の２チャンネルステレオ再生とは別の設計思想で作られている。
【０００４】
２チャンネルステレオ再生用のスピーカーは、視聴する部屋の残響や反射を前提に音響特性を設計している。一方、６〜７個以上のスピーカーを使用するサラウンド再生用のスピーカーは、視聴者の周囲にスピーカーを配置し、各スピーカーからの直接音声で擬似的な残響効果や反射効果を得る音響特性としている。
【０００５】
結果として、視聴者の着座位置に合わせて、恣意的に前のスピーカーから出る音声よりも、後ろのスピーカーから出る音声を若干遅らせる機能が備わったＡＶアンプなども存在する。このように、オーディオ再生の分野は、ますます進化している。
【０００６】
また、従来から、これらの機器の設定や制御の方法として、リモートコントロール（リモコン）という方法がある。リモコンが無い場合は、視聴位置から本体のある操作位置まで視聴者が移動して、音量などの調整を実施し、再度着座位置に戻って視聴を継続する必要がある。一方、リモコンがある場合は、着座位置のまま、最適な音量などを視聴しながら調整することが可能となる。
【０００７】
近年、電子タグ（ＲＦＩＤ）の普及に伴い、電子タグと電子機器との連携・連動により、便宜を供与する技術は、種々の分野において出現している。
【０００８】
そこで、電子タグを利用して、ＣＤ、ＤＶＤなどの光ディスクと、電子機器との連携・連動での便宜を図った技術としては、以下のようなものがある（例えば、特許文献１、特許文献２、特許文献３、特許文献４参照。）。
【０００９】
特許文献１記載の技術は、データを記憶するＤＶＤ−ＲＡＭ記憶媒体と、記憶媒体を識別するための情報が書き込み可能で、それを無線で読み取り可能なＲＦＩＤタグとで記憶媒体を構成する。ＲＦＩＤタグに記憶した情報を外部の探索器によって読み取ることで、ＤＶＤ−ＲＡＭ記憶媒体に記憶しているデータを読み取らなくても記憶媒体に記憶している内容を知ることができる。また、無線で無線タグの情報を読み取ることによって、記憶媒体の識別情報を短時間で入手することができ、記憶媒体識別情報を読み取るために記憶媒体を読取装置まで搬送する必要がない。
【００１０】
従って、記憶媒体の識別の時間短縮を図ることができ、短時間で目的の情報を記憶した記憶媒体の探索を可能にしている。
【００１１】
特許文献２記載の技術は、書籍およびＣＤなどの商品、またはそれらのカバーあるいはケースなどに非接触型のＩＣタグを貼り付け、システムラック上に載置する。システムラック上からの商品の取り出し、またはシステムラック上への商品の返却などの履歴を、非接触ＩＣタグ用リーダ・ライタを使用して、認識、管理、検索、データ処理まですべて行い、ＡＶ関連の媒体販売やレンタル業において、商品の保管、検索、データ処理の効率化を図っている。
【００１２】
特許文献３記載の技術は、販売するＩＣタグ付きＣＤのデータ未記録部分に、光メディア販売装置により、ユーザが選択する追加の楽曲データを記録し、ＩＣタグにＣＤに収録した楽曲の情報を記録する。また、ＣＤが自然劣化した場合には、ＩＣタグに記録された情報を基に、復刻版を作成する。さらに、ＩＣタグ付きＣＤを別の種類の光メディアに変更する際も、ＩＣタグに記録された情報を基に複製版を作成する。
【００１３】
従って、記録媒体の販売に際して、違法コピーがされにくい光メディアなどの記録媒体を作成して販売することができ、また自然劣化した記録媒体の復刻、及び異なる種類の記録媒体への複製が容易にできることになる。
【００１４】
特許文献４記載の技術は、ＣＤを収納するプラスチックケースに無線ＩＣタグを取り付け、無線ＩＣタグには、ＣＤに固有の媒体識別情報およびＣＤの利用が許可されたＣＤプレーヤーに固有の装置識別情報を記憶する。
【００１５】
従って、記録媒体に改変を加えることなく、記録媒体の不適法な譲渡や貸与を抑止しつつ、販売業者は調査によらず投資資本を回収することができる。
【００１６】
【特許文献１】特開２００２ー２８８９６３号公報
【特許文献２】特開平１１ー１３０２１３号公報
【特許文献３】特開２００３ー３１６９６６号公報
【特許文献４】特開２００３ー１３２６２３号公報
【発明の開示】
【発明が解決しようとする課題】
【００１７】
上述した特許文献１、特許文献２、特許文献３、及び特許文献４の技術は、共に、ＣＤ、ＤＶＤなどの光媒体自体または光媒体のケースにＲＦＩＤを貼付することによリ、販売やレンタル業務において、在庫管理、販売管理の効率化を図ることは可能であるが、光媒体を購入した媒体コンテンツの利用者が、自宅などでコンテンツを視聴するのに際しては、何の便益も提供できるものとはなっていない。
【００１８】
一般的に、媒体コンテンツを購入する視聴者は、複数のコンテンツを収集し、大量のコンテンツを自宅に保管し、任意の希望時に希望のコンテンツの再生を実施している。
【００１９】
視聴者は、コンテンツの再生時に、コンテンツ毎に再生環境を最適に調整する行為を、その都度実施している。また、この調整は、単純な音量調整などだけではなく、コンテンツ毎に最適な低音スピーカーの音量やサラウンドの種類など、多様な調整がその都度必要となる。
【００２０】
コンテンツを選んで再生開始してから、その都度再生中に調整を続けて、コンテンツの再生に最適な調整に落ち着くまでに、視聴者は、多くの調整を試行錯誤をしながら実施するものである。従って、最初から最適な調整状態で視聴することはできないし、何度も調整操作を必要とするので、落ち着いて視聴することができない。
【００２１】
ＣＤやＤＶＤの視聴という行為は、もともと、音楽や芸術という感性を開放して、いかに視聴者が感じることができるのかが高い付加価値部位であり、操作の試行錯誤に忙殺されて、鑑賞がおろそかになることは、視聴者に視聴という目的に対する付加価値を供与していないことになる。
【００２２】
本発明の目的は、ＡＶ（Ａｕｄｉｏ  Ｖｉｄｅｏ）データを記録したＣＤ、ＤＶＤなどの光ディスクの再生に際し、音声・映像データの視聴者が、前回に光ディスクを再生した際のＡＶアンプの設定情報の設定値を光ディスクに搭載している電子タグ（ＲＦＩＤ）に記憶させておくことにより、自動的に前回の設定値を読み出し、読み出した設定値にＡＶアンプの設定情報を自動設定する再生システム、再生方法、再生装置を提供することにある。
【００２３】
即ち、コンテンツを選んで再生開始してから、その都度再生中に調整を続けなくても、利用中のＡＶアンプにおいて再生コンテンツに最適な調整状態が瞬時に得られ、視聴者は、最初から最適な調整状態で視聴することができ、調整操作に気を取られたりすることなく、落ち着いて視聴することができる再生システム、再生方法、再生装置を提供することにある。
【課題を解決するための手段】
【００２４】
本発明の再生システムは、オーディオビデオデータを記憶する記憶媒体と、記憶媒体のオーディオビデオデータを再生する再生部と、オーディオビデオアンプと、オーディオビデオアンプの出力を音声に変換するスピーカとを有する再生システムにおいて、記憶媒体は、オーディオビデオアンプの設定情報を記憶する付加記憶手段を有し、再生部は、付加記憶手段から設定情報を読み出す付加記憶読み出し手段を有し、オーディオビデオアンプは、再生部から受信した設定情報の設定値に変更する設定切り換え手段を有することを特徴とする。
【００２５】
記憶媒体は、ディジタルバーサタイルディスク、コンパクトディスク、ミニディスクの何れかを有することを特徴とする。
【００２６】
付加記憶手段は、電子タグを有することを特徴とする。
【００２７】
電子タグは、記憶媒体または記憶媒体を格納するカートリッジケースに搭載することを特徴とする。
【００２８】
付加記憶読み出し手段は、電子タグリーダ・ライタを有することを特徴とする。
【００２９】
再生部は、光ディスクドライブと、光ディスクドライブと付加記憶読み出し手段とを制御する第二制御部とを有することを特徴とする。
【００３０】
オーディオビデオアンプは、再生部との間で通信を行う第一通信部と、記憶媒体の適合性を判断する適合検証部と、設定切り換え手段を制御する第一制御部とを有することを特徴とする。
【００３１】
適合検証部は、設定情報に対する設定範囲を記憶する設定範囲記憶部と、設定範囲と再生部から受信した設定値とを比較する比較部とを有することを特徴とする。
【００３２】
第一制御部は、適合検証部により適合すると判定したとき、設定値に一致させるように設定切り換え手段の制御を行う手段を有することを特徴とする。
【００３３】
比較部は、再生部から受信した設定値が設定範囲内であるか否かを検証することを特徴とする。
【００３４】
設定情報は、視聴環境と、音量と、スピーカ位置と、画面輝度とを有することを特徴とする。
【００３５】
光ディスクドライブは、ディジタルバーサタイルディスクドライブ、コンパクトディスクドライブ、ミニディスクドライブの何れかを有することを特徴とする。
【００３６】
付加記憶読み出し手段は、アンテナと、付加記憶手段の第一無線部からアンテナを介して設定情報を受信する第二無線部と、設定情報を格納する記憶部と、オーディオビデオアンプと通信を行う第二通信部とを有することを特徴とする。
【００３７】
本発明の再生方法は、記憶媒体にオーディオビデオデータを記憶し、記憶媒体のオーディオビデオデータを再生部により再生し、再生データをオーディオビデオアンプにより増幅し、オーディオビデオアンプの出力をスピーカにより音声に変換する再生方法において、記憶媒体に設けた付加記憶手段によりオーディオビデオアンプの設定情報を記憶するステップと、再生部に設けた付加記憶読み出し手段により付加記憶手段から設定情報を読み出すステップと、オーディオビデオアンプに設けた設定切り換え手段により再生部から受信した設定情報の設定値に変更するステップとを有し、オーディオビデオアンプは、第一通信部により再生部との間で通信を行うステップと、記憶媒体の適合性を適合検証部により判断するステップと、適合検証部により適合すると判定したとき、第一制御部により設定値に一致させるように設定切り換え手段の制御を行うステップとを有することを特徴とする。
【００３８】
適合検証部は、設定情報に対する設定範囲を設定範囲記憶部に記憶するステップと、設定範囲と再生部から受信した設定値とを比較部により比較するステップとを有することを特徴とする。
【００３９】
比較部は、再生部から受信した設定値が設定範囲内であるか否かを検証するステップを有することを特徴とする。
【００４０】
本発明の再生装置は、オーディオビデオデータを記憶する記憶媒体のデータを再生する再生部と、オーディオビデオアンプとを有する再生装置において、記憶媒体は、オーディオビデオアンプの設定情報を記憶する付加記憶手段を有し、再生部は、付加記憶手段から設定情報を読み出す付加記憶読み出し手段を有し、オーディオビデオアンプは、再生部から受信した設定情報の設定値に変更する設定切り換え手段を有することを特徴とする。
【００４１】
付加記憶手段は、電子タグを有することを特徴とする。
【００４２】
付加記憶読み出し手段は、電子タグリーダ・ライタを有することを特徴とする。
【００４３】
オーディオビデオアンプは、再生部との間で通信を行う第一通信部と、記憶媒体の適合性を判断する適合検証部と、設定切り換え手段を制御する第一制御部とを有することを特徴とする。
【００４４】
適合検証部は、設定情報に対する設定範囲を記憶する設定範囲記憶部と、設定範囲と再生部から受信した設定値とを比較する比較部とを有することを特徴とする。
【００４５】
比較部は、再生部から受信した設定値が設定範囲内であるか否かを検証することを特徴とする。
【００４６】
設定情報は、視聴環境と、音量と、スピーカ位置と、画面輝度とを有することを特徴とする。
【発明の効果】
【００４７】
本発明の再生システム、再生方法、再生装置によれば、光ディスクまたはカートリッジケースに搭載している電子タグに、前回再生時のＡＶアンプの設定情報の設定値（調整値）を記憶しておき、再生開始時に、自動的に前回の設定値を読み出し、読み出した設定値にＡＶアンプの設定情報を自動設定することにより、再生コンテンツに最適な調整状態が瞬時に得られ、視聴者は、最初から最適な調整状態で視聴することができるという効果がある。
【発明を実施するための最良の形態】
【００４８】
次に本発明の実施の形態について図面を参照して説明する。
【００４９】
図１は、本発明の再生システム１の実施の形態を示す概略構成図、図２は、図１中の再生装置２を示す概略構成ブロック図である。
【００５０】
図１、２を参照すると、再生システム１は、オーディオビデオ（以降ＡＶと称す）データを記憶するＤＶＤ１００と、ＤＶＤ１００を装着してＡＶデータを再生する再生部３００とＡＶアンプ４００とを有する再生装置２と、ＡＶアンプ４００の出力を音声に変換するスピーカと、映像を表示するモニター５００とで構成する。スピーカとしては、左前スピーカ６００と、右前スピーカ７００と、中央前スピーカ８００と、中央後スピーカ９００と、左後スピーカ１０００と、右後スピーカ１１００と、低音スピーカ１２００とを再生装置２に接続して構成する。
【００５１】
ＤＶＤ１００は、ＡＶアンプ４００の設定情報を記憶するＲＦＩＤ２００を非データ領域に搭載する。ＲＦＩＤ２００は、メモリ２１と、制御部２２と、第一無線部２３とで構成する。なお、ＲＦＩＤ２００は、非接触型無線ＩＣタグであり、詳細な説明は省略する。また、ＲＦＩＤ２００をＤＶＤ１００自体に搭載しているが、ＤＶＤ１００を格納するカートリッジケース（図示せず）に搭載しても良いことは、云うまでもない。
【００５２】
再生部３００は、ＲＦＩＤ２００から設定情報を読み出すＲＦＩＤリー詳細ダ・ライタ３５と、ＤＶＤドライブ３６と、ＤＶＤドライブ３６とＲＦＩＤリーダ・ライタ３５とを制御する第二制御部３７とで構成する。なお、ＡＶデータを記憶する記憶媒体の種類に対応した再生手段としてのドライブを再生部３００に設ける構成、或いは、複数種類のドライブを再生部３００に設ける構成とする。例えば、使用する記憶媒体がＣＤのときは、ＣＤドライブ（図示せず）、ＭＤのときは、ＭＤドライブ（図示せず）を再生部３００に設けるか、或いは、マルチ記憶媒体対応としてＤＶＤドライブ３６に加え、ＣＤドライブと、ＭＤドライブとを設けて構成する。
【００５３】
ＲＦＩＤリーダ・ライタ３５は、アンテナ３４と、第一無線部２３からアンテナ３４を介してメモリ２１に記憶した設定情報を受信する第二無線部３３と、受信した設定情報を格納する記憶部３２と、制御ケーブル１５００を介してＡＶアンプ４００と通信を行う第二通信部３１とで構成する。
【００５４】
ＡＶアンプ４００は、再生部３００から受信した設定情報の設定値に変更する設定切り換え手段４０と、再生部３００の第二通信部３１との間で通信を行う第一通信部４７と、ＤＶＤ１００の適合性を判断する適合検証部４９と、設定切り換え手段４０を制御する第一制御部４８とで構成する。なお、第一制御部４８は、映像音声ケーブル１３００を介して第二制御部３７と接続する。
【００５５】
ここで、適合検証部４９について、図面を参照して説明する。
【００５６】
図３は、適合検証部４９の構成ブロック図、図４は、図３中の設定範囲記憶部４９１と、比較部４９２とを説明するための図である。
【００５７】
図３を参照すると、適合検証部４９は、設定情報４９６に対する設定範囲４９７を記憶する設定範囲記憶部４９１と、設定範囲４９７と再生部３００から受信した設定値２１０とを比較する比較部４９２とで構成する。
【００５８】
図４を参照すると、設定範囲記憶部４９１は、視聴環境、音量、スピーカの位置を示す前後センタ位置と左右センタ位置、低温スピーカブースト、画面輝度のＡＶアンプ４００を調整して設定する各々の設定情報４９６に対する設定範囲４９７を記憶する。ここで、視聴環境について説明する。図４中の視聴環境に対する設定範囲４９７の６．１サラウンドは、図１に示す左前スピーカ６００、右前スピーカ７００、中央前スピーカ８００、中央後スピーカ９００、左後スピーカ１０００、右後スピーカ１１００、低音スピーカ１２００の全スピーカで視聴する環境を示し、５．１サラウンドは、左前スピーカ６００、右前スピーカ７００、中央前スピーカ８００、左後スピーカ１０００、右後スピーカ１１００、低音スピーカ１２００で視聴する環境を示し、ステレオは、左前スピーカ６００と右前スピーカ７００とで視聴する環境を示す。
【００５９】
比較部４９２は、再生部３００から受信した設定値２１０が設定範囲４９７内であるか否かを検証して、ＤＶＤ１００がＡＶアンプ４００に適合しているものであるか否かを判断するよう構成する。
【００６０】
次に、上述のように構成した再生システム１の動作について、図面を参照して説明する。
【００６１】
図５は、再生システム１の動作を示すフローチャートである。
【００６２】
図５を参照すると、まず、ＲＦＩＤ２００を搭載したＤＶＤ１００を再生部３００のＤＶＤドライブ３６へロード（装着）する（Ｓ１０１）。
【００６３】
再生部３００のＲＦＩＤリーダ・ライタ３５は、ＲＦＩＤ２００のメモリ２１に記憶しているデータの読み取りを試行する。データの問合せについては、ＲＦＩＤリーダ・ライタ３５のアンテナ３４経由で実施する（Ｓ１０２）。
【００６４】
ＲＦＩＤ２００は、再生部３００から問い合わせのあった、メモリ２１に保持しているデータを、再生部３００に送信する（Ｓ１０３）。
【００６５】
ＲＦＩＤリーダ・ライタ３５によりメモリ２１のデータの読み取り試行に失敗した場合は、ＲＦＩＤ２００を具備していない一般的なＤＶＤ１００と見なす。読み取りに成功した場合、再生部３００は、第二制御部３７の指示により読み取ったデータをＲＦＩＤリーダ・ライタ３５の記憶部３２に格納する。
【００６６】
ＲＦＩＤリーダ・ライタ３５によりＲＦＩＤ２００のメモリ２１に保持しているデータの読み取りに成功した場合の一例としては、図４のメモリ２１の設定値２１０欄に示すようなデータになる。
【００６７】
再生部３００は、ＤＶＤ１００に搭載しているＲＦＩＤ２００のメモリ２１から読み出したデータを、ＡＶアンプ４００へ送信する（Ｓ１０４）。データの送信は、第二通信部３１から制御ケーブル１５００を経由して送信し、ＡＶアンプ４００は、送信データを第一通信部４７で受信し、適合検証部４９の保持部（図示せず）で保持する。
【００６８】
ＡＶアンプ４００の適合検証部４９は、上記（Ｓ１０４）で再生部３００からの送信データが、本ＡＶアンプ４００に適合しているのかどうかを検証する（ステップＳ１０５）。即ち、図４に示す如く、比較部４９２により、再生部３００から受信した設定値２１０が設定範囲４９７内であるか否かを検証して、ＤＶＤ１００がＡＶアンプ４００に適合しているものであるか否かを判断する。なお、図示しないが、データ長により本ＡＶアンプの規格と同一であるか否かを検証して判断してもよい。
【００６９】
上記（Ｓ１０５）において、受信データの検証で適合すると判定した場合は、受信データの設定値２１０に合致するよう、第一制御部４８の制御により、ＡＶアンプ４００の各調整値を設定切り換え手段４０により変更する（Ｓ１０６）。
【００７０】
ここで、設定切り換え手段４０について、図２を参照して簡単に説明する。図２に示す例では、スイッチＡ、スイッチＢ、スイッチＣという３種類の物理的な動作で接点変更を行うスイッチに、各々１つずつスイッチセンサとスイッチドライバとを付与している（スイッチＡに対してスイッチセンサＡ４１とスイッチドライバＡ４４、スイッチＢに対してスイッチセンサＢ４２とスイッチドライバＢ４５、スイッチＣに対してスイッチセンサＣ４３とスイッチドライバＣ４６とを付与）。物理的なスイッチを使用する場合、図２のように、スイッチドライバＡ４４、スイッチドライバＢ４５、スイッチドライバＣ４６を用いて、ポジジョン変更したいセレクタースイッチなどを動作させて、スイッチの通電を変更する。スイッチドライバとは、ソレノイドやリレーなどを用いて、物理的作用を可能とした一般的素子である。
【００７１】
スイッチセンサＡ４１、スイッチセンサＢ４２、スイッチセンサＣ４３、は、現在のスイッチの状態を第一制御部４８に報告する機能を担い、スイッチドライバＡ４４、スイッチドライバＢ４５、スイッチドライバＣ４６は、第一制御部４８の指示に合わせてスイッチを変更する機能を担う。この機能によって、前回ＤＶＤ１００を視聴したＡＶアンプ４００の調整状態を再現することができる。
【００７２】
なお、スイッチとして、物理的な動作で接点変更を行うスイッチの代わりにメモリースイッチ(図示せず）を用いる場合は、第一制御部４８により直接設定値の変更を実施でき、このケースも本発明に含まれることは云うまでもない。
【００７３】
次に、ＲＦＩＤ２００を搭載したＤＶＤ１００を最初に再生する場合、或いは、前回に調整した設定値２１０を変更して視聴する場合の動作について、図５を参照して説明する。
【００７４】
視聴開始と共に、現ＡＶアンプ４００の設定情報４９６の調整状態（設定値２１０）に何らかの不満があり、調整を希望する場合は、ＡＶアンプ４００自身をマニュアル操作して設定値２１０を変更し、最適化する（Ｓ１０７）。
【００７５】
ＤＶＤドライブ３６にＤＶＤ１００をロードして再生している状態から再生停止をさせるためにストップボタン（図示せず）を押すと、ＤＶＤドライブ３６は、ＤＶＤ１００の再生動作を停止する。本動作の代わりに、ＤＶＤ１００の末尾までの再生が完了し、自動的に再生を終了する方法で停止するときをも含む（Ｓ１０８）。
【００７６】
ＤＶＤ１００の再生状態から再生停止状態になった場合のみ、再生部３００は、ＡＶアンプ４００に対して、現在のＡＶアンプ４００の調整状態（設定値２１０）を問い合わせる（Ｓ１０９）。
【００７７】
問合せを受けたＡＶアンプ４００の第一制御部４８は、現在のスイッチセンサＡ４１、スイッチセンサＢ４２、スイッチセンサＣ４３の状態を入手し、第一通信部４７を介してそれらの調整状態を再生部３００に送信する（Ｓ１１０）。
【００７８】
再生部３００は、停止しているＤＶＤ１００に搭載のＲＦＩＤ２００に対して、第二無線部３３およびアンテナ３４を介して、上記（Ｓ１１０）で受信したＡＶアンプ４００の現在の設定値２１０を送信する（Ｓ１１１）。
【００７９】
第一無線部２３を介して設定値２１０のデータを受信したＲＦＩＤ２００の制御部２２は、受信データをメモリ２１に記録する（Ｓ１１２）。
【００８０】
次回の再生時に再生部３００へＤＶＤ１００を装着したとき、ＲＦＩＤリーダ・ライタ３５により、メモリ２１へ記録した設定値２１０のデータを読み取り、ＡＶアンプ４００は、ＲＦＩＤリーダ・ライタ３５から受信したデータの設定値２１０に合致するよう、第一制御部４８の制御により、自動的に設定情報４９６の各調整値を変更することができるようになる。
【００８１】
上記動作説明においては、ＤＶＤ１００自体にＲＦＩＤ２００を搭載しているため、ＤＶＤ１００を再生中は、高速回転により正確なＲＦＩＤ２００のメモリ２１の読み出し・書き込みができない。そこで、ＤＶＤ１００の再生停止時にのみＲＦＩＤ２００へアクセスすることを前提としている。しかし、ＤＶＤ１００を格納するカートリッジケース（図示せず）にＲＦＩＤ２００を搭載した場合、再生動作中でも正確にメモリ２１の書き込み・読み出しが可能であり、このケースでは、ＲＦＩＤ２００へのアクセスを再生停止中に限定しなくてもよいことは明白である。
【図面の簡単な説明】
【００８２】
【図１】本発明の再生システムを示す概略構成図である。
【図２】図１中の再生装置を示す概略構成ブロック図である。
【図３】図２中の適合検証部の構成ブロック図である。
【図４】図３中の設定範囲記憶部と、比較部とを説明するための図である。
【図５】再生システムの動作を示すフローチャートである。
【符号の説明】
【００８３】
１    再生システム
２    再生装置
２１    メモリ
２２    制御部
２３    第一無線部
３１    第二通信部
３２    記憶部
３３    第二無線部
３４    アンテナ
３５    ＲＦＩＤリーダ・ライタ
３６    ＤＶＤドライブ
３７    第二制御部
４０    設定切り換え手段
４１    スイッチセンサＡ
４２    スイッチセンサＢ
４３    スイッチセンサＣ
４４    スイッチドライバＡ
４５    スイッチドライバＢ
４６    スイッチドライバＣ
４７    第一通信部
４８    第一制御部
４９    適合検証部
１００    ＤＶＤ
２００    ＲＦＩＤ
２１０    設定値
３００    再生部
４００    ＡＶアンプ
４９１    設定範囲記憶部
４９２    比較部
４９６    設定情報
４９７    設定範囲
５００    モニター
６００    左前スピーカ
７００    右前スピーカ
８００    中央前スピーカ
９００    中央後スピーカ
１０００    左後スピーカ
１１００    右後スピーカ
１２００    低音スピーカ
１３００    映像音声ケーブル
１５００    制御ケーブル
【図１】
2005353237.tif 000003
【図２】
2005353237.tif 000004
【図３】
2005353237.tif 000005
【図４】
2005353237.tif 000006
【図５】
2005353237.tif 000007